(57)【要約】      （修正有）【課題】段ボールなどのシート部材を折り曲げて形成される包装箱において、複数のフラップを固定部材を用いずに固定し、かつ、外観を損なわず、製造コストの低減が可能な包装箱を提供する。【解決手段】包装箱の下面部と、側壁を形成する側壁部５と、側壁部５と隣接する他の側壁の少なくとも一部を形成する内側フラップ４、外側フラップ３と、他の側壁の少なくとも一部を形成するものであり、第一の外側フラップ３との境目で折り返されることにより、第一の外側フラップ３との間に内側フラップ４が配置される第二の外側フラップ２と、第二の外側フラップ２に設けられた第一の係止部１８と、内側フラップ４における第一の係止部１８と対応する位置に設けられ、第一の係止部１８と係止、離脱が可能な第二の係止部１３とが設けられている。【選択図】図３
0003188073.tif 000002
【実用新案登録請求の範囲】
【請求項１】
包装箱の下面を形成する下面部と、
前記下面部の辺より延出し、前記包装箱の側壁を形成する側壁部と、
前記側壁部により形成される側壁と隣接する他の側壁の少なくとも一部を形成するものであり、前記側壁部における前記他の側壁と隣接する辺から延出する内側フラップと、
前記他の側壁の少なくとも一部を形成するものであり、前記下面部における前記側壁部が延出する辺と隣接する辺から延出する第一の外側フラップと、
前記他の側壁の少なくとも一部を形成するものであり、前記第一の外側フラップにおける前記下面部と反対側の辺から延出し、前記第一の外側フラップとの境目で折り返されることにより、前記第一の外側フラップとの間に前記内側フラップが配置される第二の外側フラップと、
前記第二の外側フラップに設けられた第一の係止部と、
前記内側フラップにおける前記第一の係止部と対応する位置に設けられ、前記第一の係止部と係止、離脱が可能な第二の係止部と、
が設けられていることを特徴とする包装箱。
【請求項２】
前記第一の係止部が、前記第二の外側フラップの辺部に設けられた少なくとも一組の切り込みによって区画された差し込み片であり、
前記第二の係止部は、前記第一の係止部が差し込まれる挿入口であることを特徴とする
請求項１に記載の包装箱。
【請求項３】
前記第一の係止部における先端が、前記第二の外側フラップの辺から突出していることを特徴とする
請求項２に記載の包装箱。
【請求項４】
前記他の側壁と対向する背面側壁部より延出し、前記包装箱の蓋を形成する蓋部と、
前記蓋部における前記他の側壁と対向する辺に設けられた第一の蓋係止部と、
前記第一の外側フラップ及び前記第二の外側フラップの少なくとも一方に設けられ、前記第一の蓋係止部と係止、離脱が可能な第二の蓋係止部を備えることを特徴とする
請求項１から請求項３のいずれか一項に記載の包装箱。
【考案の詳細な説明】
【技術分野】
【０００１】
本考案は、包装箱に関する。
【背景技術】
【０００２】
例えばボール紙などのシート部材から形成される略直方体の包装箱は、４つの側壁部と、下面を形成する下面部と上面を形成する上面部から構成されている。このような包装箱のうち、所定の側壁部が、下面部および隣接する側壁部の辺から延出する複数のフラップを組み合わせることにより形成されるものが知られている。
【０００３】
上述の包装箱では、所定の側壁と隣接する側壁部から延出する内側フラップと、下面部から延出する外側フラップが組み合わされることにより所定の側壁が形成される。なお、この外側フラップは、所定の側壁の外装を形成する第一の外側フラップと、第一の外側フラップから延出し、所定の側壁の内壁を形成する第二の外側フラップとから主に構成されている。
【０００４】
具体的には、所定の側壁は、第二の外側フラップが第一の外側フラップとの境界で折り返され、第一の外側フラップと第二の外側フラップとの間に内側フラップが配置されることで形成される。第二の外側フラップの先端には、突出部が設けられており、この突出部を下面部に設けられた挿入口に挿入することで、第二の外側フラップは下面部に係止され、所定の側壁が形成されている。
【０００５】
また、複数のフラップを組み合わせ、包装箱の上面又は下面を形成する包装箱として、対向する一組の側壁部から延出する一組のフラップに挿入隅部を設け、もう一方の一組の側壁部から延出する一組のフラップに挿入口及び係止フラップを設けた包装箱も知られている（例えば特許文献１）。これらの包装箱では、固定部材を用いなくてもフラップを固定することができ、蓋部の形成作業を簡素化することができる。
【先行技術文献】
【特許文献】
【０００６】
【特許文献１】実用新案登録第３１８２８２６号公報
【考案の概要】
【考案が解決しようとする課題】
【０００７】
しかしながら、従前の包装箱では外部から見える位置に挿入口が設けられているため、包装箱の外観を損なうという問題があった。また、所定の側壁は、第一の外側フラップ、および当該第一の外側フラップと同程度の長さを有する第二の外側フラップから少なくとも構成されており、他の側壁と比較してより多くのシート部材を用いて構成されていた。そのため、包装箱の形成に必要なシート部材が多く、包装箱の製造コストが高くなってしまうという問題があった。
【０００８】
その一方で、第二の外側フラップの側壁部側の辺（所定の側壁と隣接する側壁と隣接する辺）に突出部を設け、隣接する側壁部に当該突出部を挿入するための挿入口を設けることにより、第二の外側フラップの長さは短くなる。しかしながら、この場合にも側壁部における外部から見える位置に挿入口が設けられるため、包装箱の外観を損なうという問題があった。
【０００９】
本考案は、上記の課題を解決するためになされたものであって、段ボールなどのシート部材を折り曲げて形成される包装箱において、複数のフラップを固定部材を用いずに固定し、外観を損なわず、かつ包装箱の製造コストの低減が可能な包装箱を提供することを目的とする。
【課題を解決するための手段】
【００１０】
上記目的を達成するために、本考案は、以下の手段を提供する。
本考案の包装箱は、包装箱の下面を形成する下面部と、前記下面部の辺より延出し、前記包装箱の側壁を形成する側壁部と、前記側壁部により形成される側壁と隣接する他の側壁の少なくとも一部を形成するものであり、前記側壁部における前記他の側壁と隣接する辺から延出する内側フラップと、前記他の側壁の少なくとも一部を形成するものであり、前記下面部における前記側壁部が延出する辺と隣接する辺から延出する第一の外側フラップと、前記他の側壁の少なくとも一部を形成するものであり、前記第一の外側フラップにおける前記下面部と反対側の辺から延出し、前記第一の外側フラップとの境目で折り返されることにより、前記第一の外側フラップとの間に前記内側フラップが配置される第二の外側フラップと、前記第二の外側フラップに設けられた第一の係止部と、前記内側フラップにおける前記第一の係止部と対応する位置に設けられ、前記第一の係止部と係止、離脱が可能な第二の係止部とが設けられていることを特徴とする。
【００１１】
本考案の包装箱によれば、第一の係止部及び第二の係止部の係止は包装箱の内側で行われるため、第一の係止部及び第二の係止部が包装箱の外装に現れず、外観を損なうことがない。また、内側フラップ、第一の外側フラップ及び第二の外側フラップを折り曲げて組み合わせ、第一の係止部及び第二の係止部を係止するだけの簡易な方法で、接着剤などの固定具を用いずに包装箱を形成することが可能である。なお、第一の係止部及び第二の係止部は、係止、離脱が可能であるため、他の側壁の解体、及び組み立てを容易に行うことができる。さらには、内側フラップに第二の外側フラップに設けられた第一の係止部と係止、離脱が可能な第二の係止部が設けられていることから、第二の外側フラップの長さを第一の外側フラップの長さよりも短くすることができる。このため、包装箱を形成する際に必要とされるシート部材を節約することも可能となり、包装箱の製造コストを低減することが可能となる。
【００１２】
上記考案においては、前記第一の係止部が、前記第二の外側フラップの辺部に設けられた少なくとも一組の切り込みによって区画された差し込み片であり、前記第二の係止部は、前記第一の係止部が差し込まれる挿入口であることを特徴とすることが好ましい。
【００１３】
このようにすることにより、第二の係止部である挿入口が内側フラップに設けられているため、挿入口が包装箱の外装に現れて外観を損なうことはない。また、このように第一の係止部を設ければ、第二の外側フラップの先端部に切り込みを入れるだけの簡易な方法で第一の係止部を設けることができるため、容易に製造することが可能となる。
【００１４】
さらに上記考案においては、前記第一の係止部における先端が、前記第二の外側フラップの辺から突出していることを特徴とすることが好ましい。
このように第一の係止部を設ければ、第一の係止部を挿入口である第二の係止部に挿入する操作を容易に行うことが可能となる。
【００１５】
さらに上記考案においては、前記他の側壁と対向する背面側壁部より延出し、前記包装箱の蓋を形成する蓋部と、前記蓋部における前記他の側壁と対向する辺に設けられた第一の蓋係止部と、前記第一の外側フラップ及び前記第二の外側フラップの少なくとも一方に設けられ、前記第一の蓋係止部と係止、離脱が可能な第二の蓋係止部を備えることを特徴とすることが望ましい。
【００１６】
このような構成であれば、組み立ての容易な蓋のついた包装箱を提供することができる。また、蓋部の先端に第一の蓋係止部を設け、他の側壁に第二の蓋係止部を設けていることから、前記蓋部を閉めた際に前記蓋部が自然と開いてしまうことを防ぐことが可能となっている。
【考案の効果】
【００１７】
本考案の包装箱によれば、側壁の一部を形成するフラップが、包装箱の内側にて係止されるため、係止に用いられる第一の係止部及び第二の係止部が包装箱の外装に現れず、外観を損なうことがない。さらには、内側フラップ、第一の外側フラップ及び第二の外側フラップを折り曲げて組み合わせ、第一の係止部及び第二の係止部を係止するだけの簡易な方法で、接着剤などの固定具を用いずに包装箱を形成することが可能である。なお、第一の係止部及び第二の係止部は、係止離脱が可能であるため、他の側壁の解体、及び組み立てを容易に行うことができる。さらには、内側フラップに第二の外側フラップに設けられた第一の係止部と係止、離脱が可能な第二の係止部が設けられていることから、第二の外側フラップの長さを第一の外側フラップの長さよりも短くすることができる。このため、包装箱を形成する際に必要とされるシート部材を節約することも可能となり、包装箱の製造コストを低減することが可能となる。
【図面の簡単な説明】
【００１８】
【図１】本考案の実施形態に係る包装箱の構成を説明する斜視図である。
【図２】本考案の実施形態に係る包装箱の展開図である。
【図３】本考案の実施形態に係る包装箱の組み立てを説明する斜視図である。
【図４】本考案の実施形態に係る包装箱の組み立てを説明する部分拡大図である。
【図５】本考案の実施形態に係る包装箱の組み立てを説明する斜視図及びフラップの係止を説明する部分拡大図である。
【考案を実施するための形態】
【００１９】
本考案の一実施形態に係る包装箱について、図１から図５を参照しながら説明する。本実施形態では、本包装箱を缶ビールなどの飲料品の包装箱に適用した場合として説明する。なお、包装箱の内容物としては衣類や食料品や工業用品等、様々なものであってよく、特にこれに限定されるものではない。
【００２０】
本実施形態にかかる包装箱１は、図１に示す様な、開閉可能な蓋を有した六面体の立方体容器で、段ボール製のシート材から形成されている。この包装箱１は、下面部７、背面側壁部８、背面側壁部８の両側に隣接する一組の側壁部５、背面側壁部８の反対側の位置にある側壁Ａと背面側壁部８から延出する蓋部９から主に構成されている。なお、本実施形態では、側壁Ａが実用新案登録請求の範囲のその他の側壁とされている。
【００２１】
以降の説明において、包装箱１の内容物を収納する空間である下面部７、背面側壁部８、一組の側壁部５、側壁Ａと蓋部９によって囲まれる空間領域を包装箱１の内側または単に内側と記載する。また、包装箱１の内側と、包装箱１の各面によって隔てられた反対側の空間領域を包装箱１の外側または単に外側と記載する。
【００２２】
下面部７は、包装箱１の下側の面をなす部分で、底面として内容物の加重を主に支える部分である。一組の側壁部５、背面側壁部８及び側壁Ａはそれぞれ下面部７の各辺にて下面部７と直交し、包装箱１の側面を形成している。なお、一組の側壁部５は、相互に対向し、それぞれ背面側壁部８及び側壁Ａの対応する辺と隣接し、直交している。
【００２３】
背面側壁部８の辺ｊｊ’からは、蓋部９が延出している。辺ｊｊ’には折り線が設けられているため、蓋部９は辺ｊｊ’を軸として、側壁Ａの辺ｇｇ’に近接及び離間する方向に動かすことができる。このように蓋部９を設けることで、包装箱１に開閉が容易な蓋を設けることができる。
【００２４】
蓋部９の辺ｋｋ’からは、包装箱１の内側に向かう方向に突出部１０が突出し、辺ｋｋ’の中央付近には蓋係止部１１が設けられている。そして側壁Ａの辺ｇｇ’の中央付近には、蓋係止部１１と脱着可能な蓋係止部１２が設けられている。この蓋係止部１１及び蓋係止部１２によって、蓋部９は脱着可能に側壁Ａに係止される。
【００２５】
蓋係止部１２は、折り線ｎｎ’にて略Ｌ字状に折り曲げ形成され、二つの領域に区画されている。蓋部９側の領域が蓋係止部１２ａであり、側壁Ａ側の領域が蓋係止部１２ｂである。
【００２６】
蓋部９を係止する際には、蓋部９の突出部１０を側壁Ａの内側面に当接させる様にして蓋部９を閉めた状態で、蓋係止部１２ａを蓋係止部１１の切り込み１５に対して内側に向かって挿入する（図１参照。）。また、蓋部９の係止を解除する際には、蓋係止部１２ａを蓋係止部１１から外側に向かって引き抜くことで、係止を解除することができる。蓋係止部１１にはその中央付近に切り欠き部２０が設けられているため、切り欠き部２０に指などを挿入して、蓋係止部１２ａを容易に引き抜くことが可能である。なお、本実施形態では、蓋係止部１１が実用新案登録請求の範囲第一の蓋部係止部と、蓋係止部１２が実用新案登録請求の範囲第二の蓋係止部とされている。
【００２７】
このように蓋係止部１１及び蓋係止部１２を設けることで、包装箱１の蓋部９を閉めた際に、蓋部９が自然に開いてしまうことを防ぐことができ、また蓋部９の係止及び係止の解除を容易に行うことができる。
【００２８】
側壁部５の辺ｃｄ及び辺ｃ’ｄ’からは、側壁部５に直交し、包装箱の内側に向かって突出部６が突出している。このように突出部６を設けることで、蓋部９を閉めた際に、蓋部９の内側の面が突出部６と当接し、蓋部９を支えることができる。つまり、例えば蓋部９を閉めた包装箱１の上に、別の包装箱１を重ねて置いたり、他のものを蓋部９の外側の面に置いたりすることにより、蓋部９に包装箱１の内側に向かう荷重がかかった場合であっても、蓋部９が内側に陥没してしまうことを防ぐことができる。
【００２９】
図２は、包装箱１の展開図である。包装箱１は、一枚の段ボールシート材を図２に示す様な形状に形成されたシート部材Ｂを、折り曲げ、接合等の組み立て作業をして形成される。
【００３０】
以降、図２に従い包装箱１を構成するシート部材Ｂの説明を行う。なお、図２の説明にあっては、シート部材Ｂの各構成の名称を、対応する包装箱１の各構成の名称を用いて説明する。例えば、頂点ａ，ｂ，ｂ’，ａ’にて囲まれる領域（以降、領域ａ，ｂ，ｂ’，ａ’と記載する。また、他の領域についても同様。）は、包装箱１の下面部７となる部分であるため、図２の説明において、同領域を下面部７と記載する。
【００３１】
また、図２において、破線で記載される部分は折り線を示している。このようにシート部材Ｂにあらかじめ折り線を設けることによって、包装箱１の組み立て、及び解体作業が容易となる。また、一点鎖線で示された線分ｅｆ及び線分ｅ’ｆ’は、後述する折り畳み線部１４を示している。
【００３２】
図２において示されるシート部材Ｂは、中心線Ｃを中心とした左右対称の形状をしている。シート部材Ｂのほぼ中央に位置する領域ａ，ａ’，ｂ，ｂ’が下面部７である。下面部７の辺ａｂ及び辺ａ’ｂ’からは、辺ａａ’の延びる方向に、一組の側壁部５がそれぞれ左右対称に延出している。さらに、下面部７の辺ａａ’からは、背面側壁部８が、辺ａｂの延びる方向に延出している。また、下面部７の辺ｂｂ’からは、辺ａｂの延びる方向に、外側フラップ３が延出している。なお、本実施形態において、この外側フラップ３が実用新案登録請求の範囲の第一の外側フラップとされている。
【００３３】
外側フラップ３の辺ｇｇ’からは、外側フラップ２（領域ｇ，ｇ’，ｈ’，ｉ’，ｉ，ｈ）が延出している。なお、本実施形態では、この外側フラップ２が実用新案登録請求の範囲の第二の外側フラップとされている。この外側フラップ２は、辺ｇｇ’及び後述する折り線ｈｈ’にて折り返されて、外側フラップ３と共に側壁Ａの一部を構成するものである。
【００３４】
外側フラップ２には、辺ｇｇ’の近傍に折り線ｈｈ’が、辺ｇｇ’と平行に設けられている。ここで、辺ｇｇ’と辺ｈｈ’との距離は、シート部材Ｂの厚さと略同一の長さとなっている。このように折り線ｈｈ’を設けることで、外側フラップ２を折り返した際に、外側フラップ３との間に隙間が生まれ、後述する内側フラップ４を外側フラップ２と外側フラップ３との間に配置しやすくなる。
【００３５】
外側フラップ２と外側フラップ３を囲む領域である領域ｉ，ｈ，ｇ，ｂ，ｂ’，ｇ’，ｈ’，ｉ’の略中央部分には、外側フラップ２及び外側フラップ３にまたがって、略Ｕ字型の切り込み１７が設けられている。この切り込み１７にて区画された部分が蓋係止部１２である。蓋係止部１２には、折り線ｎｎ’が設けられており、この折り線により蓋係止部１２ａと蓋係止部１２ｂに区画されている。
【００３６】
外側フラップ２の辺ｉｉ’には、後述する内側フラップ４に設けられた挿入口１３に対応する位置に、一対の切り込み１６によって外側フラップ２の他の部分と区画された、一組の係止部１８がそれぞれ設けられている。係止部１８は、挿入口１３に挿入され、外側フラップ２と内側フラップ４を係止する部分であり、本実施形態において、この係止部１８が実用新案登録請求の範囲の第一の係止部とされている。なお、外側フラップ２と内側フラップ４を係止の詳細については、後述する。
【００３７】
なお、係止部１８は図２（ｂ）に示す様に、外側フラップ２の辺ｉｉ’から突出させて設けることもできる。このように係止部１８を設ければ、外側フラップ２を内側フラップ４に係止する際、係止部１８を挿入口１３に容易に挿入することができる。
【００３８】
側壁部５の辺ｂｃ及び辺ｂ’ｃ’より、内側フラップ４が辺ａｂ、及び辺ａ’ｂ’の延びる方向にそれぞれ延出している。この内側フラップ４は、外側フラップ３と外側フラップ２との間に配置され、側壁Ａの一部を構成するものである。なお、側壁部５の辺ｂ’ｃ’より延出する内側フラップ４は、略Ｌ字型の形状をしており、その略中央付近には略長方形の挿入口１３が設けられている。なお、本実施形態において、この挿入口１３が実用新案登録請求の範囲の第二の係止部とされている。一方、辺ｂｃから延出する内側フラップ４は、前述の線分ｂ’ｃ’から延出する内側フラップ４と中心線Ｃを中心に左右対称の形状をしており、挿入口１３も同様に設けられている。
【００３９】
側壁部５の辺ｃｄ及び辺ｃ’ｄ’からは、辺ｂｃ及び辺ｂ’ｃ’の延びる方向に、突出部６がそれぞれ延出している。そして、頂点ａまたは頂点ａ’の近傍にある点ｅ及び点ｅ’を起点とし、側壁部５及び突出部６にまたがって、折り畳み線部１４が、線分ｅｆ及び線分ｅ’ｆ’の位置に設けられている。なお線分ｅｆ及び線分ｅ’ｆ’は、辺ａｂ及び辺ａ’ｂ’とそれぞれ略４５°の角度をなしている。
【００４０】
背面側壁部８の辺ａｊ及び辺ａ’ｊ’より、辺ｊｊ’の延びる方向に一組の固定部１９がそれぞれ延出している。この固定部１９は、接着剤等の固定部材によって側壁部５の内側の面に接合され、側壁部５と背面側壁部８を固定するものである。なお、固定部１９は略台形をしており、辺ａｌと辺ａｊのなす角度は、線分ｅｆと辺ａｂのなす角度と略同一であり、辺ａ’ｌ’と辺ａ’ｊ’のなす角度は、線分ｅ’ｆ’と辺ａ’ｂ’のなす角度と略同一である。
【００４１】
包装箱１では、前述のように折り畳み線部１４を設けているため、固定部１９によって側壁部５と背面側壁部８が固定された状態であっても、包装箱１を解体する際に、側壁部５と背面側壁部８の固定を外さなくても、コンパクトに折りたたむ事が可能である。具体的には、側壁部５を折り畳み線部１４に沿って包装箱１の内側方向に折り曲げ、側壁部５と背面側壁部８を内側に向かって倒すことで、側壁部５と背面側壁部８を、その固定を外すことなく下面部７に折り重ねることが可能である。
【００４２】
背面側壁部８の辺ｊｊ’からは、蓋部９が辺ａｊの延びる方向に延出している。さらに蓋部９の辺ｋｋ’からは、辺ｊｋの延びる方向に突出部１０が延出している。この突出部１０は、包装箱１の内側方向に折り曲げられ、側壁Ａの内側の面と当接する部分である。
【００４３】
蓋部９の辺ｋｋ’の中央付近には切り込み１５が設けられており、さらにその切り込み１５の中央部分には、略半円状に切り抜かれた切り欠き部２０が設けられている。この切り込み１５と切り欠き部２０が蓋係止部１１であり、本実施形態において、この蓋係止部１１が、実用新案登録請求の範囲の第一の蓋係止部とされている。
【００４４】
次に、包装箱１の組み立て方法について説明をする。
なお、以降の記載は組み立て方法の例示であり、これに限定される訳ではなく、他の組み立て方法であっても構わない。
【００４５】
まず、固定部１９をそれぞれ辺ａｊ、辺ａ’ｊ’に沿って背面側壁部８に対して略垂直となる様に、背面側壁部８の内側の面となる方向に折り曲げる。次に、辺ａｂ、辺ａａ’、辺ａ’ｂ’を境にして、一組の側壁部５及び背面側壁部８を下面部７に対して垂直となる様に内側に折り曲げる。この際、固定部１９が、側壁部５の内側の面と当接する様に配置する。
【００４６】
背面側壁部８の辺ａｊと側壁部５の辺ａｄが同一となる様に重ね、接着剤などの固定部材を用いて固定部１９を側壁部５の内側の面に固定する。同様に背面側壁部８の辺ａ’ｊ’と側壁部５の辺ａ’ｄ’も重ね、接着剤などの固定部材を用いて固定部１９を側壁部５の内側の面に固定する。これで、側壁部５が背面側壁部８の両側に直交して固定される。次に、内側フラップ４を辺ｂｃ及び辺ｂ’ｃ’を境にして、それぞれ側壁部５と略直交する様に内側に折り曲げる。なお、これらの作業を終えた状態が図３に示されている。
【００４７】
次に、側壁Ａを組み立てる方法について説明する。まず、外側フラップ３を、辺ｂｂ’を境に、下面部７と直交するように内側方向に折り曲げる（図３参照。）。次に外側フラップ２を辺ｇｇ’及び折り線ｈｈ’にて、内側フラップ４の内側の面の方向に折り返す。このように折り返すことで、内側フラップ４が外側フラップ２と外側フラップ３の間に配置されることになる。この際、挿入口１３への挿入がしやすい様に、係止部１８を、内側フラップ４の内側の面となる方向に少し折り曲げておく（図４参照。）。
【００４８】
外側フラップ２を内側フラップ４に近接させながら、係止部１８をそれぞれ対応する内側フラップ４に設けられている挿入口１３に挿入する（図５（ｂ）参照。）。この様に係止部１８を挿入口１３に挿入することで、外側フラップ２と内側フラップ４が相互に係止されるため、側壁部５が側壁Ａの両側に直交して固定される（図５（ａ）参照。）。
【００４９】
蓋係止部１２を折り線ｏｏ’を境に、外側に折り曲げ、さらに折り線ｎｎ’にて蓋係止部１２ａが包装箱の内側に向かう様に折り曲げる。そして、突出部６を辺ｃｄ及び辺ｃ’ｄ’にて側壁部５と直交するように内側に折り曲げる。同様に突出部１０も蓋部９と略直交する様に内側に折り曲げ、突出部１０が側壁Ａの内側の面（外側フラップ２）に当接させながら蓋部９を閉める。最後に蓋係止部１２ａを蓋係止部１１の切り込み１５に挿入し、蓋部９を係止する（図１参照。）。この際、蓋係止部１２ｂは、側壁Ａの外側の面の一部となっている。
【００５０】
包装箱１を解体する場合には、上記と逆の手順にて行う。ただし、側壁部５と背面側壁部８は固定部材等によって固定されているため、図３に示す状態からは以下の手順にて行う。
【００５１】
内側フラップ４及び突出部６を外側に折り戻し、側壁部５と略同一の平面になるようにする。次に折り畳み線部１４を谷折りにして、側壁部５を内側に折り曲げ、内側に倒していく。この際、背面側壁部８も側壁部５に追従させて内側に倒し、最終的に下面部７の上に順番に側壁部５及び背面側壁部８を折り重ねる。このようにすることで、固定部１９による固定を取り外すことなく、包装箱１をコンパクトに折りたたむことが可能となる。
【００５２】
このように、本考案にかかる包装箱１では、外側フラップ２と内側フラップ４が包装箱１内側にて係止され、フラップの係止部分が包装箱１の外側には現れないため、包装箱１の外観を損なうことはない。また、外側フラップ２を折り返し、内側フラップ４に設けられた挿入口１３に係止部１８を挿入するだけの簡単な作業で、接着剤当の固定部材を用いることなく包装箱１の側壁の一部である側壁Ａを組み立てることができる。さらには、蓋部９を係止するための蓋係止部１１、蓋係止部１２が設けられているため、固定部材を用いることなく、脱着可能に蓋部９を側壁Ａに係止することが可能である。
【００５３】
挿入口１３を下面部７に設けた場合には、外側フラップ２に設けられている係止部１８を挿入口１３に挿入するために、係止部１８の下面部７に対向する辺と、辺ｈｈ’との距離を、外側フラップ３の辺ｇｇ’と辺ｂｂ’との距離の長さと略同一にする必要がある。一方、本考案にかかる包装箱１では、挿入口１３が内側フラップ４に設けられており、係止部１８の下面部７と対向する辺と、辺ｈｈ’との距離を短くすることができるため、必要となるシート部材を節約することが可能となる。
【００５４】
なお、本考案の技術範囲は上記実施形態に限定されるものではなく、本考案の趣旨を逸脱しない範囲において種々の変更を加えることが可能である。例えば、本実施形態では、シート部材として段ボールを用いた包装箱を記載したが、これに限定される訳ではなく、ボール紙や他の公知のシート部材も用いることができる。
【００５５】
また、本実施形態では内側フラップ４は、外側フラップ２にのみ係止される構成を示したが、例えば、内側フラップ４の辺ｂｃ及び辺ｂ’ｃ’の反対側の辺に、内側フラップ４同士を係止するための係止部を設けた構成としてもよい。このような構成とすれば、当該係止部によって内側フラップ４同士が係止され、さらに外側フラップ２が内側フラップ４に係止されるため、側壁Ａと側壁部５の固定がより強固にされることになる。
【符号の説明】
【００５６】
１  包装箱
２  外側フラップ
３  外側フラップ
４  内側フラップ
５  側壁部
６  突出部
７  下面部
８  背面側壁部
９  蓋部
１０  突出部
１１  蓋係止部
１２  蓋係止部
１２ａ  蓋係止部
１２ｂ  蓋係止部
１３  挿入口
１４  折り畳み線部
１５  切り込み
１６  切り込み
１７  切り込み
１８  係止部
１９  固定部
２０  切り欠き部
【図１】
0003188073.tif 000003
【図２】
0003188073.tif 000004
【図３】
0003188073.tif 000005
【図４】
0003188073.tif 000006
【図５】
0003188073.tif 000007